(57)【要約】【課題】  油溜まり内の潤滑油を効率的に循環させ、減速機構や軸受等に新鮮な潤滑油を供給すると共に、耐久性や寿命を向上できるようにする。【解決手段】  車両の後輪７側に設けるアクスルハウジング１２を、モータ収容筒１４と、モータ収容筒１４の軸方向外側に着脱可能に設けられる筒状スピンドル１５等とにより構成する。また、筒状スピンドル１５の外周側には、車輪取付筒１９との間で環状空間Ｃ内に潤滑油１００を封止するシール装置６０のリテーナ６１を設ける。そして、リテーナ６１には、筒状スピンドル１５よりも下側となる位置に排出管６９を接続して設ける。この排出管６９により、油溜まり４３内の潤滑油１００を車輪取付筒１９と筒状スピンドル１５との間の環状空間Ｃから外部に吸引して矢示Ｄ方向に排出する構成とする。【選択図】        図５
2006264394.tif 000002
【特許請求の範囲】
【請求項１】
ダンプトラックの車体に非回転状態で取付けられる筒状のアクスルハウジングと、該アクスルハウジングに設けられ回転軸を回転駆動する駆動源と、前記アクスルハウジングの外周側に軸受を介して回転可能に設けられ車輪が取付けられる車輪取付筒と、該車輪取付筒と前記アクスルハウジングとの間に設けられ該車輪取付筒に対し前記回転軸の回転を減速して伝える減速機構とを備えてなるダンプトラックの走行駆動装置において、
前記アクスルハウジングの内部には、前記減速機構に向けて潤滑油を供給する潤滑油供給部を設け、
前記アクスルハウジングと車輪取付筒の内部には、該潤滑油供給部から供給された潤滑油を上，下方向の下側位置に溜め、前記軸受を潤滑状態に保つ油溜まりを設け、
前記アクスルハウジングの外周側で上，下方向の下側となる部位には、該油溜まり内の潤滑油を前記車輪取付筒とアクスルハウジングとの間から外部に吸引して排出する潤滑油排出部を設ける構成としたことを特徴とするダンプトラックの走行駆動装置。
【請求項２】
前記減速機構は、太陽歯車、リングギヤ、遊星歯車およびキャリアからなる複数段の遊星歯車減速機構により構成し、該複数段の遊星歯車減速機構のうち最終段の遊星歯車減速機構は、前記リングギヤを前記軸受の外径寸法に近い内径寸法をもって形成する構成としてなる請求項１に記載のダンプトラックの走行駆動装置。
【請求項３】
前記車輪取付筒の内周面には、前記油溜まり内の潤滑油を前記潤滑油排出部側に向けてガイドするガイド面を設けてなる請求項１または２に記載のダンプトラックの走行駆動装置。
【請求項４】
前記アクスルハウジングは、前記駆動源を内部に収容する筒状の駆動源収容部と、該駆動源収容部に連結して設けられ内周側に前記減速機構の一部を収容し外周側が前記軸受を介して前記車輪取付筒を回転可能に支持する筒状スピンドルとを備え、該筒状スピンドルには前記車輪取付筒との間を液密にシールするシール部材が取付けられる環状のシール取付体を設け、前記潤滑油排出部は前記筒状スピンドルよりも下側となる位置で該シール取付体に接続して設けられた排出管により構成してなる請求項１，２または３に記載のダンプトラックの走行駆動装置。
【請求項５】
前記減速機構は、複数の遊星歯車を支持ピンを介して回転可能に支持するキャリアが前記アクスルハウジングに非回転状態で設けられた遊星歯車減速機構により構成し、前記潤滑油供給部は、一側が潤滑油の供給源に接続され他側が前記アクスルハウジング内を伸びて前記遊星歯車の支持ピンに接続された潤滑油の導管と、前記支持ピンに形成され該導管からの潤滑油を前記遊星歯車に向けて流通させる潤滑油の油路とにより構成してなる請求項１，２，３または４に記載のダンプトラックの走行駆動装置。
【発明の詳細な説明】
【技術分野】
【０００１】
本発明は、例えば露天の採掘場、石切り場、鉱山等で採掘した砕石物を運搬する大型の運搬車として好適に用いられるダンプトラックの走行駆動装置に関し、特に、減速機構を用いて走行時の回転トルクを増大させる構成としたダンプトラックの走行駆動装置に関する。
【背景技術】
【０００２】
一般に、ダンプトラックと呼ばれる大型の運搬車は、車体のフレーム上に起伏可能となったベッセル（荷台）を備え、このベッセルに砕石物等の重い荷物を多量に積載した状態で運搬するものである。
【０００３】
このため、ダンプトラックの駆動輪を走行駆動する走行駆動装置は、車体に取付けられる筒状のアクスルハウジングと、該アクスルハウジングに設けられ回転軸を回転駆動する油圧モータ等の駆動源と、前記アクスルハウジングの先端側外周に軸受を介して回転可能に設けられ車輪が取付けられる車輪取付筒と、該車輪取付筒と前記回転軸との間に設けられ該車輪取付筒に対し前記回転軸の回転を減速して伝える複数段の遊星歯車減速機構とを備えている（例えば、特許文献１，２参照）。
【０００４】
そして、複数段の遊星歯車減速機構は、例えば油圧モータからなる駆動源の回転出力を減速して車輪取付筒（車輪）に伝えることにより、車両の前輪または後輪等の駆動輪に大なる回転トルクを発生させ、ダンプトラック（車両）の運搬性能を高めるものである。
【０００５】
【特許文献１】特開平５−１９３３７３号公報
【特許文献２】特開平９−３００９８４号公報
【発明の開示】
【発明が解決しようとする課題】
【０００６】
ところで、上述した従来技術の走行駆動装置では、大トルクの回転負荷が作用するため、前記アクスルハウジングと車輪取付筒との間に設ける軸受、複数段の遊星歯車減速機構等に潤滑油を供給し、これらを潤滑状態に保つことが必要となる。また、車輪取付筒の内部には、前記潤滑油を上，下方向の下側位置に溜める油溜まりを形成するようにしている。
【０００７】
そして、この油溜まりに収容した潤滑油は、潤滑油の供給源側に設けた潤滑油ポンプ等を用いて吸引し、前記油溜まりの外部に順次排出するようにしている。また、前記供給源側では、この排出油を外部のフィルタで濾過して異物（例えば、金属粉、摩耗粉等）を除去すると共に、冷却器等を用いて冷却した後の潤滑油を、前記遊星歯車減速機構等に向けて再び供給するのが一般的である。
【０００８】
しかし、従来技術の走行駆動装置にあっては、油溜まり内に溜められた潤滑油をアクスルハウジングの内周側から排出管等を用いて吸引しながら排出する構成としているため、下記のような問題が生じているのが実状である。
【０００９】
即ち、前記排出管の吸引口は、回転する車輪取付筒に設けることができず、非回転となったアクスルハウジング側に設ける必要がある。しかし、アクスルハウジングの内周側から油溜まり内の潤滑油を排出管に吸引する場合には、油溜まりの下部（底部）側に滞留した摩耗粉等の異物を吸込むことが難しく、油溜まり内には油温の高い使い古した潤滑油が残留し易くなる。
【００１０】
このため、従来技術では、アクスルハウジングと車輪取付筒との間に設ける軸受に油温の低い新しい潤滑油を供給することができず、軸受の寿命が低下するという問題がある。また、車輪取付筒内に設ける遊星歯車減速機構等についても、油温の高い潤滑油により冷却効率が悪くなり、耐久性、寿命が低下するという問題がある。
【００１１】
しかも、従来技術の場合には、アクスルハウジングから軸方向外側へと張出した位置に遊星歯車減速機構を配置する構成としている。このため、走行駆動装置全体の軸方向長さ（全長）が長くなり、全体が大型化し重量も大きくなるという問題がある。
【００１２】
本発明は上述した従来技術の問題に鑑みなされたもので、本発明の目的は、油溜まり内の潤滑油を効率的に循環させ、減速機構や軸受等に新鮮な潤滑油を供給することができると共に、耐久性や寿命を向上することができるようにしたダンプトラックの走行駆動装置を提供することにある。
【００１３】
また、本発明の他の目的は、減速機構の一部をアクスルハウジング内に収容することにより、全体の小型化、軽量化を図ることができると共に、潤滑性能も高めることができるようにしたダンプトラックの走行駆動装置を提供することにある。
【課題を解決するための手段】
【００１４】
上述した課題を解決するために、本発明は、ダンプトラックの車体に非回転状態で取付けられる筒状のアクスルハウジングと、該アクスルハウジングに設けられ回転軸を回転駆動する駆動源と、前記アクスルハウジングの外周側に軸受を介して回転可能に設けられ車輪が取付けられる車輪取付筒と、該車輪取付筒と前記アクスルハウジングとの間に設けられ該車輪取付筒に対し前記回転軸の回転を減速して伝える減速機構とを備えてなるダンプトラックの走行駆動装置に適用される。
【００１５】
そして、請求項１の発明が採用する構成の特徴は、前記アクスルハウジングの内部に、前記減速機構に向けて潤滑油を供給する潤滑油供給部を設け、前記アクスルハウジングと車輪取付筒の内部には、該潤滑油供給部から供給された潤滑油を上，下方向の下側位置に溜め、前記軸受を潤滑状態に保つ油溜まりを設け、前記アクスルハウジングの外周側で上，下方向の下側となる部位には、該油溜まり内の潤滑油を前記車輪取付筒とアクスルハウジングとの間から外部に吸引して排出する潤滑油排出部を設ける構成としたことにある。
【００１６】
また、請求項２の発明によると、前記減速機構は、太陽歯車、リングギヤ、遊星歯車およびキャリアからなる複数段の遊星歯車減速機構により構成し、該複数段の遊星歯車減速機構のうち最終段の遊星歯車減速機構は、前記リングギヤを前記軸受の外径寸法に近い内径寸法をもって形成する構成としている。
【００１７】
また、請求項３の発明によると、前記車輪取付筒の内周面には、前記油溜まり内の潤滑油を前記潤滑油排出部に向けてガイドするガイド面を設けてなる構成としている。
【００１８】
一方、請求項４の発明によると、前記アクスルハウジングは、前記駆動源を内部に収容する筒状の駆動源収容部と、該駆動源収容部に連結して設けられ内周側に前記減速機構の一部を収容し外周側が前記軸受を介して前記車輪取付筒を回転可能に支持する筒状スピンドルとを備え、該筒状スピンドルには前記車輪取付筒との間を液密にシールするシール部材が取付けられる環状のシール取付体を設け、前記潤滑油排出部は前記筒状スピンドルよりも下側となる位置で該シール取付体に接続して設けられた排出管により構成している。
【００１９】
また、請求項５の発明によると、前記減速機構は、複数の遊星歯車を支持ピンを介して回転可能に支持するキャリアが前記アクスルハウジングに非回転状態で設けられた遊星歯車減速機構により構成し、前記潤滑油供給部は、一側が潤滑油の供給源に接続され他側が前記アクスルハウジング内を伸びて前記遊星歯車の支持ピンに接続された潤滑油の導管と、前記支持ピンに形成され該導管からの潤滑油を前記遊星歯車に向けて流通させる潤滑油の油路とにより構成している。
【発明の効果】
【００２０】
上述の如く、請求項１に記載の発明によれば、アクスルハウジング内で減速機構に向けて潤滑油を供給することにより減速機構を潤滑できると共に、この潤滑油を前記アクスルハウジングと車輪取付筒の内部に設けた油溜まりに溜めることができ、アクスルハウジングと車輪取付筒との間に設ける軸受を潤滑状態に保つことができる。そして、前記アクスルハウジングの外周側でその下側となる部位には、該油溜まり内の潤滑油を前記車輪取付筒とアクスルハウジングとの間から外部に吸引して排出する潤滑油排出部を設ける構成としているので、油溜まり内の潤滑油をアクスルハウジングの内周側ではなく、外周側から潤滑油排出部を通じて円滑に排出することができ、油溜まり内の潤滑油を効率的に循環させることができる。
【００２１】
従って、油温の高い使い古した潤滑油が油溜まり内に残留するのを防止でき、アクスルハウジングと車輪取付筒との間に設ける軸受に油温の低い新しい潤滑油を供給することできる。そして、油溜まりから排出した潤滑油は、例えば走行駆動装置の外部に設けた潤滑油の供給源側で、例えばフィルタ等を用いて金属粉、摩耗粉等の異物を除去すると共に、冷却器等を用いて冷却した後の潤滑油を、前記減速機構等に向けて再び供給することができる。これにより、減速機構および軸受等に新鮮な潤滑油を供給し続けることができ、減速機構、軸受の耐久性や寿命を向上することができる。
【００２２】
また、請求項２に記載の発明は、最終段の遊星歯車減速機構のリングギヤを軸受の外径寸法に近い内径寸法をもって形成することにより、前記軸受の外径寸法を車輪取付筒の内径（内周面）に近い寸法をもって形成することができ、車輪取付筒の内周面に存在する段差等を小さくすることができる。これにより、油溜まり内の潤滑油を車輪取付筒の内周面に沿って軸受側に向けて良好にガイドすることができ、この潤滑油を潤滑油排出部から車輪取付筒の外部に円滑に排出することができる。
【００２３】
また、請求項３に記載の発明によると、車輪取付筒の内周面には、例えばテーパ状の傾斜面からなるガイド面を形成しているので、アクスルハウジングと車輪取付筒との間に潤滑油が滞留するのをガイド面によって防止でき、潤滑油排出部から車輪取付筒の外部に排出する潤滑油の排出性能を高めることができる。
【００２４】
一方、請求項４に記載の発明によると、アクスルハウジングの筒状スピンドルは、その内周側に減速機構の一部を収容しているので、走行駆動装置全体の軸方向長さ（全長）を短くすることができ、装置全体を小型化し軽量化も図ることができる。そして、アクスルハウジングの筒状スピンドルには、車輪取付筒との間をシール部材を介して液密にシールする環状のシール取付体を設け、該シール取付体には筒状スピンドルよりも下側となる位置で排出管を設けることにより潤滑油排出部を構成しているので、非回転の筒状スピンドルと回転する車輪取付筒との間から油溜まり内の潤滑油が漏れるのを、前記シール部材により環状のシール取付体を介して防止できると共に、この潤滑油を車輪取付筒の外部に排出管を介して円滑に排出することができる。
【００２５】
また、請求項５に記載の発明は、遊星歯車減速機構のキャリアをアクスルハウジングに非回転状態で設ける構成としているので、遊星歯車を回転可能に支持する支持ピンを、キャリアと共に非回転状態に保持でき、潤滑油の導管を支持ピンに対して安定した状態で接続することができる。また、このような支持ピンは、太陽歯車の周囲に一定の間隔をもって配置され各遊星歯車の回転中心をなしているので、前記導管から支持ピンの油路内に供給された潤滑油を、遊星歯車の自転に伴う遠心力の作用で放射状に噴射させることができ、例えば遊星歯車と太陽歯車との噛合面、遊星歯車とリングギヤとの噛合面等に対して霧状に微細化された潤滑油をほぼ均等に供給することができる。
【００２６】
これにより、遊星歯車減速機構に対する潤滑油の供給を効率的に行うことができ、遊星歯車減速機構の各構成部品（歯車）の耐久性、寿命等を向上することができる。また、前記太陽歯車と遊星歯車の噛合面等に供給された潤滑油は、自然落下により油溜まり内に溜められ、例えばリングギヤの歯面（噛合面）等を潤滑できると共に、回転する車輪取付筒と非回転のアクスルハウジングとの間で軸受等を潤滑状態に保つことができる。
【発明を実施するための最良の形態】
【００２７】
以下、本発明の実施の形態によるダンプトラックの走行駆動装置を、後輪駆動式のダンプトラックを例に挙げ、添付図面に従って詳細に説明する。
【００２８】
ここで、図１ないし図９は本発明の第１の実施の形態を示している。図中、１は本実施の形態で採用したダンプトラックで、このダンプトラック１は、図１に示すように頑丈なフレーム構造をなす車体２と、該車体２上に起伏可能に搭載された荷台としてのベッセル３とにより大略構成されている。
【００２９】
そして、ベッセル３は、例えば砕石物等の重い荷物を多量に積載するため全長が１０〜１３ｍ（メートル）にも及ぶ大型の容器として形成され、その後側底部が、車体２の後端側にピン結合部４等を介して起伏（傾転）可能に連結されている。また、ベッセル３の前側上部には、後述のキャビン５を上側から覆う庇部３Ａが一体に設けられている。
【００３０】
５は庇部３Ａの下側に位置して車体２の前部に設けられたキャビンで、該キャビン５は、ダンプトラック１の運転者が乗降する運転室を形成し、その内部には運転席、起動スイッチ、アクセルペダル、ブレーキペダル、操舵用のハンドルおよび複数の操作レバー（いずれも図示せず）等が設けられている。
【００３１】
そして、ベッセル３の庇部３Ａは、キャビン５を上側からほぼ完全に覆うことにより、例えば岩石等の飛び石からキャビン５を保護すると共に、車両（ダンプトラック１）の転倒時等にもキャビン５内の運転者を保護する機能を有しているものである。
【００３２】
６，６は車体２の前部側に回転可能に設けられた左，右の前輪で、該各前輪６は、ダンプトラック１の運転者によって操舵（ステアリング操作）される操舵輪を構成するものである。そして、前輪６は後述の後輪７と同様に、例えば２〜４ｍに及ぶタイヤ径（外径寸法）をもって形成されている。
【００３３】
７，７は車体２の後部側に回転可能に設けられた左，右の後輪で、該各後輪７は、ダンプトラック１の駆動輪を構成し、図４に示す後述の走行駆動装置１１により車輪取付筒１９と一体に回転駆動される。そして、後輪７は、２本のタイヤ７Ａ，７Ａと、該各タイヤ７Ａの内側に配設されるリム７Ｂ，７Ｂと、該各リム７Ｂのうち軸方向外側のリム７Ｂに着脱可能に嵌合して設けられるホイールキャップ７Ｃ（図３参照）等とにより構成されるものである。
【００３４】
８はキャビン５の下側に位置して車体２内に設けられる原動機としてのエンジンで、該エンジン８は、例えば大型のディーゼルエンジン等により構成され、図２に示すように発電機としてのオルタネータ９を駆動するものである。また、エンジン８は、油圧源となる油圧ポンプ（図示せず）等を回転駆動し、後述の起伏シリンダ７３、パワーステアリング用の操舵シリンダ（図示せず）等に圧油を給排させる機能も有している。
【００３５】
１０はダンプトラック１の制御装置を構成する電気コントローラで、該電気コントローラ１０は、図１に示すようにキャビン５の後側に位置して車体２上に立設された配電盤等により構成されている。そして、電気コントローラ１０は、図２に示すオルタネータ９で発生した電気をバッテリ（図示せず）を充電させると共に、この電気を後述の電動モータ１７に出力し、電動モータ１７の回転数を個別にフィードバック制御する機能等を有している。
【００３６】
１１はダンプトラック１の後輪７側に設けられた走行駆動装置で、該走行駆動装置１１は、後述のアクスルハウジング１２、電動モータ１７、車輪取付筒１９および減速機構２４等により構成されている。そして、走行駆動装置１１は、電動モータ１７の回転を減速機構２４により減速し、車両の駆動輪となる後輪７を車輪取付筒１９と一緒に大なる回転トルクで走行駆動するものである。
【００３７】
１２は車体２の後部側に設けられた後輪７用のアクスルハウジングで、該アクスルハウジング１２は、図２に示すように左，右の後輪７，７間を軸方向に延びる筒状体として形成されている。そして、アクスルハウジング１２は、ショックアブソーバ等の緩衝器（図示せず）を介して車体２の後部側に取付けられる中間の懸架筒１３と、該懸架筒１３の左，右両側にそれぞれ設けられた後述のモータ収容筒１４および筒状スピンドル１５とにより構成されるものである。
【００３８】
１４，１４は懸架筒１３の両端側に設けられた駆動源収容部としてのモータ収容筒で、該各モータ収容筒１４は、図４および図５に示す如くテーパ形状をなす筒体として形成され、その大径部１４Ａ側が図２に示す懸架筒１３にボルト等を用いて着脱可能に固着される。また、モータ収容筒１４の小径部１４Ｂ側には、図５、図７に示すように後述の筒状スピンドル１５がボルト１６等を介して着脱可能に固着され、その内部は後述する第１の減速機収容空間Ａとなっている。
【００３９】
そして、モータ収容筒１４内には、後輪７の駆動源となる後述の電動モータ１７が収容されるものである。また、モータ収容筒１４の内周側には、電動モータ１７との間に環状の仕切板１４Ｃが設けられ、この仕切板１４Ｃは、後述する油溜まり４３内の潤滑油１００が電動モータ１７の周囲に漏出するのを抑えるものである。
【００４０】
１５はアクスルハウジング１２の先端側開口部を構成する筒状スピンドルで、該筒状スピンドル１５は、例えば８０〜１００ｃｍ程度の内径寸法をもった大径の段付筒状体からなり、その内部は図４、図５、図７に示すように１段目の遊星歯車減速機構２５を収容する第１の減速機収容空間Ａとして形成されている。また、筒状スピンドル１５の外周面は、後述の軸受２０，２１を介して後輪７側の車輪取付筒１９を回転可能に支持する構成となっている。
【００４１】
ここで、筒状スピンドル１５の軸方向中間部には、その内周面から径方向内向きに突出する環状凸部１５Ａが一体に形成され、この環状凸部１５Ａには、後述する１段目のキャリア３０が固定して取付けられている。また、筒状スピンドル１５は、軸方向の一側（基端側）がモータ収容筒１４にボルト１６等を介して連結される連結部１５Ｂとなり、軸方向の他側（先端側）には、図７、図８に示す如く径方向外向きに突出する環状の鍔部１５Ｃが一体に形成されている。
【００４２】
そして、筒状スピンドル１５の鍔部１５Ｃには、後述する最終段のキャリア３９が固定して取付けられるものである。この場合、鍔部１５Ｃの外周側は、筒状スピンドル１５のうち外径寸法が最も大きい最大外径部となり、鍔部１５Ｃの外径は、後述する軸受２０，２１の外径寸法Ｄ1 （図８参照）に等しい寸法、または外径寸法Ｄ1 よりも小さい寸法に形成されている。
【００４３】
また、筒状スピンドル１５の下側位置には、図８に示すように環状凸部１５Ａを前，後（軸方向）に貫通して延びる油孔１５Ｄが穿設されている。そして、筒状スピンドル１５内に後述の如く供給された潤滑油１００は、この油孔１５Ｄを通じて環状凸部１５Ａの前，後（筒状スピンドル１５の軸方向）に流通できるものである。
【００４４】
そして、筒状スピンドル１５は、後述の如く遊星歯車減速機構２５，３４のキャリア３０，３９が固定して設けられることにより、頑丈な構造をなす有蓋筒状体として組立てられ、その外周側で車輪取付筒１９（後輪７）を内側から高い剛性（強度）をもって支持できるものである。また、筒状スピンドル１５は、後述の遊星歯車減速機構２５，３４に発生する回転反力等を、キャリア３０，３９を介して十分な強度で受承する機能を有するものである。
【００４５】
ここで、第１の減速機収容空間Ａは、図５、図７に示す如くモータ収容筒１４、筒状スピンドル１５に囲まれ、その軸方向一側（内側）が仕切板１４Ｃと後述の電動モータ１７で閉塞され、軸方向他側（外側）が後述のカップリング３３等により覆われている。そして、減速機収容空間Ａの内部には、後述する１段目の遊星歯車減速機構２５が収容されるものである。
【００４６】
１７はアクスルハウジング１２のモータ収容筒１４に着脱可能に設けられる駆動源としての電動モータで、該電動モータ１７は、図２に示す如く左，右の後輪７，７を互いに独立して回転駆動するため、アクスルハウジング１２の両側に位置する左，右のモータ収容筒１４，１４内にそれぞれ取付けられている。
【００４７】
そして、電動モータ１７は、図４、図５に示すようにモータ収容筒１４内から筒状スピンドル１５内の減速機収容空間Ａに向けて軸方向に延びる回転軸１８を有し、この回転軸１８は、電動モータ１７により正方向または逆方向に回転駆動されるものである。また、回転軸１８の先端側には、後述の太陽歯車２６が一体回転するようにスプライン結合されている。
【００４８】
１９は車輪としての後輪７と一体に回転する車輪取付筒で、該車輪取付筒１９は、所謂ホイールハブを構成し、その外周側には、後輪７のリム７Ｂ，７Ｂが圧入等の手段を用いて着脱可能に取付けられる。そして、車輪取付筒１９は、軸受２０，２１間にわたって軸方向に延びる一側筒部１９Ａと、該一側筒部１９Ａの端部から後述のリングギヤ３６に向けて軸方向に延び、内周面１９Ｂ1 が一側筒部１９Ａよりも大なる内径に形成された他側筒部１９Ｂとにより段付筒状体として形成されている。
【００４９】
また、車輪取付筒１９の一側筒部１９Ａには、その内周側に後述の軸受２０，２１が嵌合して取付けられる軸受取付部１９Ｃ，１９Ｄが段差となって設けられている。また、一側筒部１９Ａの内周側には、軸方向一側の端面と軸受取付部１９Ｃとの間に位置してテーパ状に拡開し、後述するシール装置６０のリテーナ６３が取付けられる拡開部としてのリテーナ取付部１９Ｅが形成されている。
【００５０】
ここで、車輪取付筒１９の他側筒部１９Ｂは、その内周面１９Ｂ1 が後述するディスク保持筒２２の内径Ｄ2 にほぼ等しい内径をもって形成されている。そして、他側筒部１９Ｂは、筒状スピンドル１５の鍔部１５Ｃ等を径方向外側から取囲み、後述の減速機収容空間Ｂから環状空間Ｃに向けて潤滑油１００が流通するのを許すものである。
【００５１】
また、車輪取付筒１９の他側筒部１９Ｂには、後述のリングギヤ３６とディスク２２Ａ用のディスク保持筒２２とが長尺ボルト２３（図６参照）等を用いて一体的に固着され、これにより車輪取付筒１９は、リングギヤ３６と一体に回転される。即ち、車輪取付筒１９には、電動モータ１７の回転を減速機構２４で減速することにより大トルクとなった回転がリングギヤ３６を介して伝えられる。そして、車輪取付筒１９は、車両の駆動輪となる後輪７を大なる回転トルクで回転させるものである。
【００５２】
この場合、車輪取付筒１９、ディスク保持筒２２およびリングギヤ３６の内周側は、後述する２段目の遊星歯車減速機構３４が収容される第２の減速機収容空間Ｂとして形成されている。そして、第２の減速機収容空間Ｂは、軸方向一側に位置する第１の減速機収容空間Ａとの間が後述のカップリング３３等により取囲まれ、軸方向の他側（外側）は、後述のキャリア３９、内側キャップ４２およびシール装置７１等で覆われるものである。
【００５３】
また、車輪取付筒１９と筒状スピンドル１５との間は、筒状スピンドル１５の外周側を環状に取囲むの環状空間Ｃとなり、環状空間Ｃの下側部位には、潤滑油１００が収容されるものである。そして、この環状空間Ｃは、軸受２１内の隙間等を介して第２の減速機収容空間Ｂと常に連通している。
【００５４】
また、車輪取付筒１９の一側筒部１９Ａは、軸受取付部１９Ｃ，１９Ｄ間に位置する内周面が図５、図７〜図９に示す如く軸受２１側から軸受２０側に向けて漸次拡径するテーパ状のガイド面（以下、傾斜面１９Ｆという）として形成され、環状空間Ｃ内の潤滑油１００は、この傾斜面１９Ｆにより後述の排出管６９側に向けてガイドされるものである。そして、車輪取付筒１９の軸方向一側（内側）には、アクスルハウジング１２のモータ収容筒１４、筒状スピンドル１５と車輪取付筒１９との間となる位置に後述のシール装置６０等が設けられている。
【００５５】
２０，２１は筒状スピンドル１５の外周側で車輪取付筒１９を回転可能に支持する軸受で、該軸受２０，２１は、例えば同一の円錐ころ軸受等を用いて構成され、車輪取付筒１９の一側筒部１９Ａと筒状スピンドル１５との間に軸方向に離間して配設されている。即ち、一方の軸受２０は、車輪取付筒１９の軸受取付部１９Ｃ内に嵌合して取付けられ、他方の軸受２１は、車輪取付筒１９の軸受取付部１９Ｄ内に嵌合して取付けられている。
【００５６】
そして、軸受２０，２１の外径寸法Ｄ1 （軸受取付部１９Ｃ，１９Ｄの内径寸法）は、図８に示すように一側筒部１９Ａの内径よりも大きく、他側筒部１９Ｂの内径（後述するディスク保持筒２２の内径Ｄ2 ）よりも小さく形成されている。
【００５７】
また、軸受２０，２１の外径寸法Ｄ1 は、後述する最終段（２段目）のキャリア３９の最大外径以上の寸法に形成され、最終段のリングギヤ３６の内径Ｄ4 （図８参照）に近い寸法に形成される。そして、軸受２０，２１の外径寸法Ｄ1 は、後述の如くリングギヤ３６の内径（図８に示す内歯３６Ａの内径Ｄ4 ）以上となる寸法に形成されるものである。
【００５８】
２２は車輪取付筒１９の一部をリングギヤ３６と共に構成するディスク保持筒で、該ディスク保持筒２２は、図５に示すように車輪取付筒１９の軸方向外側となる位置にリングギヤ３６を挟んで取付けられ、図６に示す複数の長尺ボルト２３，２３，…を用いて車輪取付筒１９に着脱可能に固着（一体化）されるものである。
【００５９】
そして、ディスク保持筒２２には、図６に示すようにリング状（環状）をなすディスク２２Ａが抜止め、廻止め状態で取付けられ、このディスク２２Ａは、後述のディスクブレーキ５６により制動力が付与される。即ち、後輪７と車輪取付筒１９は、ディスク保持筒２２およびディスク２２Ａと一体に回転し、該ディスク２２Ａに付与されるブレーキ力により走行時の回転が停止（制動）されるものである。
【００６０】
この場合、ディスク保持筒２２の内径Ｄ2 は、図８に示すように車輪取付筒１９の他側筒部１９Ｂ（内周面１９Ｂ1 ）とほぼ等しい内径寸法に形成されている。そして、他側筒部１９Ｂとディスク保持筒２２の内径Ｄ2 は、軸受２０，２１の外径寸法Ｄ1 に対して下記の数１式による関係に設定されている。
【００６１】
【数１】
2006264394.tif 000003
【００６２】
なお、内歯３６Ａの径方向寸法Ｄ3 とは、内歯３６Ａの歯底と歯先との間の高さ寸法であり、図８に示すディスク保持筒２２の内径Ｄ2 とリングギヤ３６の内径Ｄ4 とに対して下記の数２式による関係を満たすものである。
【００６３】
【数２】
2006264394.tif 000004
【００６４】
２４は筒状スピンドル１５と車輪取付筒１９との間に設けられた減速機構で、該減速機構２４は、後述する１段目の遊星歯車減速機構２５と２段目の遊星歯車減速機構３４とにより構成され、後輪７側の車輪取付筒１９に対し回転軸１８の回転を減速して伝えるものである。
【００６５】
２５はアクスルハウジング１２の筒状スピンドル１５内に設けられたキャリア固定型である１段目の遊星歯車減速機構で、該遊星歯車減速機構２５は、図４、図５、図７および図８に示すように回転軸１８の先端側にスプライン結合された太陽歯車２６と、該太陽歯車２６とリングギヤ２７の内歯２７Ａとに噛合し、該太陽歯車２６の回転に従って自転する例えば３個の遊星歯車２８（１個のみ図示）と、該各遊星歯車２８を支持ピン２９を介して回転可能に支持したキャリア３０とにより構成されている。
【００６６】
そして、１段目のキャリア３０は、その外周側が筒状スピンドル１５の環状凸部１５Ａにボルト３１（図８参照）等を用いて非回転状態で、かつ着脱可能に固定され、複数の遊星歯車２８等と共に筒状スピンドル１５の減速機収容空間Ａ内に収容されている。また、キャリア３０の内周側には、図８に示すように回転軸１８の先端側を回転可能に支持する軸受３２等が設けられている。
【００６７】
また、１段目のリングギヤ２７は、太陽歯車２６、遊星歯車２８、支持ピン２９およびキャリア３０等を径方向外側から取囲む短尺の筒形歯車として形成され、筒状スピンドル１５の内周側に小さな径方向隙間（例えば、２〜５ｍｍ程度）を介して相対回転可能に配置されている。そして、リングギヤ２７の内周側には、各遊星歯車２８に噛合する内歯２７Ａ（図８参照）が形成されている。
【００６８】
ここで、１段目の遊星歯車減速機構２５は、キャリア３０が筒状スピンドル１５に固定されることにより、遊星歯車２８の公転（キャリヤ３０の回転）が拘束される。そして、１段目の遊星歯車減速機構２５は、電動モータ１７の回転軸１８によって太陽歯車２６が一体に回転されると、この太陽歯車２６の回転を複数の遊星歯車２８の自転に変換する。
【００６９】
そして、１段目の遊星歯車減速機構２５は、各遊星歯車２８の自転（回転）をリングギヤ２７の減速した回転として取出すと共に、このリングギヤ２７の回転を後述のカップリング３３を介して２段目の遊星歯車減速機構３４に伝えるものである。
【００７０】
また、各遊星歯車２８の支持ピン２９には、図８に示すように潤滑油１００を供給するための油路２９Ａが形成され、この油路２９Ａには、筒状スピンドル１５内を軸方向に延びる後述の導管４５が接続される。そして、この導管４５から油路２９Ａ内に導かれる潤滑油１００は、遊星歯車２８の軸受２８Ａ等に向けて噴射するように供給され、これらの軸受２８Ａおよび遊星歯車２８の歯面等を潤滑状態に保つものである。
【００７１】
また、遊星歯車減速機構２５のキャリア３０には、例えば遊星歯車２８から周方向に離間した位置に図７、図８中に点線で示す油路３０Ａが穿設され、この油路３０Ａは、後述の分岐管４９と導管５０との間をキャリア３０の前，後で連通させるものである。なお、キャリア３０には、後述するブレーキ配管５３，５４の間でブレーキ液圧を流通させる液穴（図示せず）も穿設されている。
【００７２】
３３は１段目のリングギヤ２７と一体に回転する回転伝達部材としてのカップリングで、該カップリング３３は、１段目の遊星歯車減速機構２５と２段目の遊星歯車減速機構３４との間に位置する環状の板体として形成され、その外周側は１段目のリングギヤ２７にスプライン等の手段で結合されている。
【００７３】
また、カップリング３３の内周側は、後述する２段目の太陽歯車３５にスプライン等の手段で結合されている。そして、カップリング３３は、１段目のリングギヤ２７の回転を２段目の太陽歯車３５に伝え、この太陽歯車３５をリングギヤ２７と一体的に同一の速度で回転させるものである。なお、カップリング３３には、第１の減速機収容空間Ａ内の潤滑油１００を第２の減速機収容空間Ｂ側に向けてカップリング３３の前，後で流通させる複数の油穴（図示せず）等を形成してもよい。
【００７４】
３４は本実施の形態で採用した最終段となる２段目の遊星歯車減速機構で、該遊星歯車減速機構３４は、筒状スピンドル１５と車輪取付筒１９との間に１段目の遊星歯車減速機構２５を介して配設され、１段目の遊星歯車減速機構２５と共に回転軸１８の回転を減速して車輪取付筒１９に大なる回転トルクを発生させるものである。
【００７５】
この場合、２段目の遊星歯車減速機構３４は、回転軸１８と同軸に配置されカップリング３３と一体的に回転する筒状の太陽歯車３５と、該太陽歯車３５とリングギヤ３６の内歯３６Ａ（図８参照）とに噛合し、太陽歯車３５の回転に従って自転する例えば３個の遊星歯車３７（１個のみ図示）と、該各遊星歯車３７を支持ピン３８を介して回転可能に支持したキャリア３９等とにより構成されている。
【００７６】
そして、２段目のキャリア３９は、その外周側が筒状スピンドル１５の鍔部１５Ｃにボルト４０（図８参照）等を用いて非回転状態で、かつ着脱可能に固定されている。これによりキャリア３９は、筒状スピンドル１５の開口端で減速機収容空間Ａを外側から覆う蓋体を兼用するものである。また、キャリア３９の内周側には、図８に示すように軸受４１等が設けられ、この軸受４１は、カップリング３３との間で太陽歯車３５を軸方向両側から回転可能に支持している。
【００７７】
一方、２段目のリングギヤ３６は、太陽歯車３５、遊星歯車３７、支持ピン３８およびキャリア３９等を径方向外側から取囲む短尺の筒状体として形成され、車輪取付筒１９とディスク保持筒２２との間に一体的に固着して設けられている。そして、リングギヤ３６の内周側には、各遊星歯車３７に噛合する内歯３６Ａ（図８参照）が形成されている。
【００７８】
また、リングギヤ３６の内径（内歯３６Ａの内径Ｄ4 ）は、図８に示す軸受２１の外径寸法Ｄ1 に近い寸法で、かつ外径寸法Ｄ1 以下となる寸法（Ｄ4 ≦Ｄ1 ）に形成されるものである。そして、内歯３６Ａの歯底と歯先との間の径方向寸法Ｄ3 （内歯３６Ａの高さ寸法）は、前述した数１式と数２式を満たすように、例えば１０〜２０ｍｍ程度の寸法に設定されている。
【００７９】
ここで、最終段となる２段目の遊星歯車減速機構３４は、キャリア３９が筒状スピンドル１５に固定されることにより、遊星歯車３７の公転（キャリヤ３９の回転）が拘束される。そして、２段目の遊星歯車減速機構３４は、太陽歯車３５がカップリング３３と一体に回転すると、この太陽歯車３５の回転を複数の遊星歯車３７の自転に変換しつつ、この自転（回転）をリングギヤ３６から減速した回転として取出す。
【００８０】
即ち、この場合のリングギヤ３６は、ディスク保持筒２２と共に車輪取付筒１９に一体化して設けられている。そして、後輪７側の車輪取付筒１９には、１段目の遊星歯車減速機構２５と２段目の遊星歯車減速機構３４とで２段階に減速された大出力の回転トルクが伝えられるものである。
【００８１】
また、各遊星歯車３７の支持ピン３８には、図８に示すように油路３８Ａが形成され、該油路３８Ａには、キャリア３９の外側から後述の供給管５１が接続される。そして、供給管５１から油路３８Ａ内に導かれる潤滑油１００は、遊星歯車３７の軸受３７Ａ等に向けて噴射するように供給され、これらの軸受３７Ａおよび遊星歯車３７の歯面等を潤滑状態に保つものである。
【００８２】
一方、遊星歯車減速機構３４のキャリア３９には、図８に示すように筒状スピンドル１５の鍔部１５Ｃに沿って上，下方向に延びる油溝３９Ａが形成されている。そして、キャリア３９の径方向内側と外側とは、この油溝３９Ａを介して常時連通し、第１，第２の減速機収容空間Ａ，Ｂ内に供給された潤滑油１００は、油溝３９Ａを介して車輪取付筒１９の下側となる位置に向けて流通するものである。
【００８３】
４２はキャリア３９の内周側を施蓋する内側キャップで、該内側キャップ４２は、図８に示すようにキャリア３９の内周側にボルト等を介して着脱可能に設けられ、軸受４１等をキャリア３９との間で抜止め状態に保持している。そして、内側キャップ４２は、筒状スピンドル１５の開口端側をキャリア３９と共に施蓋し、第２の減速機収容空間Ｂ内の潤滑油１００等がキャリア３９の内側から漏洩するのを防ぐものである。
【００８４】
４３は筒状スピンドル１５と車輪取付筒１９の内部に設けられた油溜まりで、この油溜まり４３は、前述した第１，第２の減速機収容空間Ａ，Ｂおよび環状空間Ｃの下側となる位置に形成され、減速機構２４に供給された潤滑油１００を、例えば図７に示す液面高さで収容するものである。この場合、油溜まり４３内の潤滑油１００は、遊星歯車２８、支持ピン２９の中心軸線（後述の導管４５）よりも下方となる液面高さに設定されている。
【００８５】
これにより、油溜まり４３内の潤滑油１００は、遊星歯車減速機構２５，３４のリングギヤ２７，３６、自転する遊星歯車２８，３７およびカップリング３３等に与える回転抵抗（潤滑油の粘性抵抗による回転負荷）を小さく抑えると共に、軸受２０，２１およびリングギヤ２７，３６等を常に潤滑状態に保つものである。
【００８６】
４４はアクスルハウジング１２内に設けられた第１の潤滑油供給部で、この潤滑油供給部４４は、筒状スピンドル１５内を軸方向に延びた導管４５と、各遊星歯車２８の支持ピン２９内に形成された前記油路２９Ａ等とにより構成されている。そして、導管４５の一側（基端側）は、図７に示す仕切板１４Ｃの位置で潤滑油の供給配管４６に接続され、この供給配管４６は、潤滑油１００の供給源となる車載の潤滑油ポンプ（図示せず）等に接続されている。
【００８７】
また、導管４５の他側（先端側）は、支持ピン２９の油路２９Ａに接続され、この油路２９Ａ内には、前記潤滑油ポンプから吐出された潤滑油が供給配管４６、導管４５を介して導かれる。そして、油路２９Ａ内の潤滑油１００は、遊星歯車２８の軸受２８Ａ等に向けて噴射するように供給され、これらの軸受２８Ａおよび遊星歯車２８の歯面等を潤滑状態に保つものである。
【００８８】
なお、１段目のキャリア３０には、複数（例えば、３個）の遊星歯車２８が支持ピン２９を介して取付けられ、図７中には示していない他の遊星歯車２８に対しても、導管４５の途中位置から後述の継手４８等により分岐された分岐管（図示せず）を介して同様に潤滑油が供給されるものである。
【００８９】
４７は２段目の遊星歯車減速機構３４に潤滑油１００を供給する第２の潤滑油供給部で、この潤滑油供給部４７は、図７に示すように前記導管４５の途中位置から継手４８を介して分岐された分岐管４９と、該分岐管４９の先端側が接続されたキャリア３０の前記油路３０Ａと、この油路３０Ａを介して分岐管４９に接続された潤滑油の導管５０と、後述の供給管５１等とにより構成されるものである。
【００９０】
ここで、潤滑油の導管５０は、図８中に二点鎖線で示すように２段目の太陽歯車３５の内側を隙間をもって軸方向に延び、その先端側が内側キャップ４２に取付けられている。そして、内側キャップ４２から外部に引出された導管５０の端部には、後述の供給管５１が接続されている。また、導管５０の基端側は、前述の如く１段目のキャリア３０に穿設した油路３０Ａ等を介して分岐管４９に接続されている。
【００９１】
５１，５１，…は２段目の遊星歯車減速機構３４に潤滑油１００を供給する他の導管としての供給管で、これらの供給管５１は、図６に示すようにキャリア３９の外側となる位置で各支持ピン３８の油路３８Ａ（図８参照）に接続されている。また、これらの供給管５１には、図８中に二点鎖線で示す導管５０等が接続され、前記分岐管４９側から潤滑油が供給される。そして、この潤滑油１００は、各供給管５１を介して各支持ピン３８の油路３８Ａ内へと噴射状態で供給されるものである。
【００９２】
５２は内側キャップ４２の外側に設けられた戻し管で、この戻し管５２は、図６に示す如く供給管５１の最下流側に接続され、供給管５１内で余剰となった潤滑油を図８に示す如く内側キャップ４２の内部に戻すものである。そして、この戻り油（潤滑油）は、内側キャップ４２と太陽歯車３５との間の軸受４１等に供給された後に、油溜まり４３内に徐々に落下して収容される。
【００９３】
５３は筒状の太陽歯車３５内に隙間をもって配置され軸方向に延びたブレーキ配管で、このブレーキ配管５３は、潤滑油の導管５０と同様に先端側が内側キャップ４２に取付けられ、内側キャップ４２から外部に引出されている。また、ブレーキ配管５３の基端側（一側）は、１段目のキャリア３０に向けて延び、１段目のキャリア３０に穿設した前述の液穴（図示せず）等を介して他のブレーキ配管５４に接続されている。
【００９４】
また、他のブレーキ配管５４は、図５に示す如く筒状スピンドル１５の減速機収容空間Ａ内を軸方向に延び、その基端側は車両に搭載されたブレーキ用の液圧制御弁等を介してマスタシリンダ（図示せず）に接続されている。そして、ブレーキ操作時には、前記マスタシンダからのブレーキ液圧がブレーキ配管５４からブレーキ配管５３に向けて供給される。
【００９５】
また、内側キャップ４２から外部に引出されたブレーキ配管５３の先端側は、例えば可撓性ホース等からなる合計３本の分岐管５５，５５，…（図６参照）に接続されている。そして、これらの分岐管５５は、ブレーキ配管５３側からのブレーキ液圧を後述の各ディスクブレーキ５６にそれぞれ供給するものである。
【００９６】
５６，５６，…はディスク２２Ａと共にブレーキ手段を構成する複数のディスクブレーキで、該各ディスクブレーキ５６は、図８に示すように最終段となる２段目のキャリア３９に軸方向の外側（減速機収容空間Ａの外側）からボルト５７等を用いて取付けられている。また、ディスクブレーキ５６は、図６に示すようにディスク２２Ａの周方向に間隔をもって合計３個設けられている。
【００９７】
そして、ディスクブレーキ５６は、前記マスタシリンダからのブレーキ液圧がブレーキ配管５４，５３および各分岐管５５等を介して供給されることにより、ディスク２２Ａを軸方向の両側から挟持し、ディスク２２Ａと一体に回転する車輪取付筒１９（後輪７）に制動力を付与するものである。
【００９８】
５８は車輪取付筒１９の最下部位に形成されたドレン孔で、該ドレン孔５８は、図７に示すようにリングギヤ３６およびディスク保持筒２２を貫通して軸方向に延び、その先端側はプラグ５９により着脱可能に閉塞されている。そして、プラグ５９を取外したときには、油溜まり４３（車輪取付筒１９）内に溜まった潤滑油１００をドレン孔５８を通じて外部に排出できるものである。
【００９９】
６０は筒状スピンドル１５と車輪取付筒１９との間を液密にシールするシール装置で、該シール装置６０は、図５、図７、図９に示すように所謂フローティングシールにより構成されている。そして、シール装置６０は、筒状スピンドル１５と車輪取付筒１９との間の環状空間Ｃ内に収容した潤滑油１００が後述するリテーナ６１の外部に漏洩するのを抑えると共に、土砂、雨水等が環状空間Ｃ内に侵入するのを防止するものである。
【０１００】
ここで、シール装置６０は、図９に示すようにアクスルハウジング１２のモータ収容筒１４と筒状スピンドル１５との間にボルト１６等を介して挟持された固定側のリテーナ６１と、車輪取付筒１９のリテーナ取付部１９Ｅ内に位置し軸方向一側の端面にボルト６２等を介して取付けられた回転側のリテーナ６３と、これらのリテーナ６１，６３との間でシール部材としての一対のＯリング６４，６４を挟持し、互いに軸方向で対向して配置された一対のシールリング６５，６５とにより構成されている。
【０１０１】
そして、シール装置６０は、リテーナ６１，６３とシールリング６５，６５との間で一対のＯリング６４を弾性変形させ、リテーナ６１，６３と各Ｏリング６４との間をシールすると共に、Ｏリング６４の弾性復元力で各シールリング６５に対して軸方向の押圧力を付与する。これにより、一対のシールリング６５，６５は、軸方向で互いに摺接し合うようになり、両者の摺接面を液密にシールするものである。
【０１０２】
また、固定側のリテーナ６１は、図９に示すように筒状スピンドル１５の外周側に嵌合される筒部６１Ａと、該筒部６１Ａの基端側から径方向内向きに突出しモータ収容筒１４と筒状スピンドル１５との間に挟持される環状突部６１Ｂと、筒部６１Ａの基端側から径方向外向きに突出しＯリング６４の保持部６１Ｃが一体形成された環状のフランジ部６１Ｄとにより構成されている。
【０１０３】
そして、リテーナ６１の環状突部６１Ｂは、筒部６１Ａを筒状スピンドル１５の外周側に嵌合させるときに、筒状スピンドル１５の軸方向一側（基端側）の端面に後述のシム板６７を介して当接され、ボルト６６により筒状スピンドル１５の端面側に固定される。また、リテーナ６１は、後述する潤滑油排出部６８の一部であるシール取付体を構成し、そのフランジ部６１Ｄには、後述の排出管６９が接続されるものである。
【０１０４】
６７は固定側のリテーナ６１と筒状スピンドル１５との間にボルト６６を用いて挟持されたシム板で、該シム板６７は、筒状スピンドル１５の基端側端面に沿って周方向に延びる環状平板として形成されている。そして、シム板６７は、その板厚または枚数に応じてリテーナ６１の環状突部６１Ｂと筒状スピンドル１５の端面との間の間隔Ｓ（図９参照）を可変に調節する。
【０１０５】
この場合、筒状スピンドル１５の外周側に嵌合するリテーナ６１の筒部６１Ａは、その先端側が軸受２０の内輪に当接し、この軸受２０に対する軸方向のセット荷重（スラスト荷重）を、シム板６７の厚さまたは枚数に応じて可変に調整する。また、筒状スピンドル１５と車輪取付筒１９との間に配設された他の軸受２１についても、その内輪側が図７に示す如く筒状スピンドル１５の鍔部１５Ｃ側に当接しているので、軸受２１のセット荷重（スラスト荷重）は、シム板６７の厚さまたは枚数に応じて可変に調整されるものである。
【０１０６】
６８は油溜まり４３内の潤滑油１００を車輪取付筒１９の外部に吸引して排出する潤滑油排出部で、該潤滑油排出部６８は、前述したリテーナ６１のフランジ部６１Ｄに後述の排出管６９を接続して設けることにより構成されている。
【０１０７】
６９はリテーナ６１のフランジ部６１Ｄに接続して設けられた潤滑油の排出管で、該排出管６９は、筒状スピンドル１５と車輪取付筒１９との間で最も下側となる最下部位に配設され、例えば第１，第２の減速機収容空間Ａ，Ｂおよび環状空間Ｃ内に前述の如く供給されて油溜まり４３に溜められた潤滑油１００を、前述した車載の潤滑油ポンプ等により環状空間Ｃの外部に向けて吸引しつつ、排出させるものである。
【０１０８】
この場合、排出管６９は、一方の端部が吸込口６９Ａとなってリテーナ６１に取付けられ、この吸込口６９Ａは、筒状スピンドル１５の下側で軸受２０のころ（転動子）と同等の高さ位置に配置されている。そして、排出管６９は、吸込口６９Ａの位置からリテーナ６１を介してアクスルハウジング１２（モータ収容筒１４）の外部に引き出されている。また、排出管６９の下流側となる他方の端部６９Ｂは、モータ収容筒１４の大径部１４Ａ側に取付けられ、図２に示すアクスルハウジング１２の懸架筒１３側から他の配管、フィルタ、冷却装置（いずれも図示せず）等を介して前記潤滑油ポンプの吸込側に接続されるものである。
【０１０９】
また、前記モータ収容筒１４の小径部１４Ｂ側には、例えば油溜まり４３内に収容した潤滑油１００の液面高さを検知する検知器（図示せず）等が設けられている。そして、油溜まり４３内の液面高さが予め決められた基準液面よりも高くなると、前記ポンプにより油溜まり４３内の潤滑油１００を排出管６９から図７、図９中の矢示Ｄ方向へと強制的に排出させる。
【０１１０】
これによって、油溜まり４３内の潤滑油１００は、図７に例示する液面高さ（例えば、遊星歯車２８、支持ピン２９の中心軸線と同等、またはこれよりも僅かに下側となる液面高さに設定されているものである。なお、排出管６９から排出された潤滑油は、前記フィルタで異物を除去し、前記冷却装置で冷却された後に、再び供給配管４６側に供給されるものである。
【０１１１】
７０はモータ収容筒１４の仕切板１４Ｃに設けられたエア排出管で、該エア排出管７０は、図７に示すように仕切板１４Ｃの上部側に取付けられ、例えば減速機収容空間Ａ内のエアを外部に排出する。これにより、筒状スピンドル１５と車輪取付筒１９内は、常に大気圧と同等またはそれ以下の圧力に保たれるものである。
【０１１２】
７１は車輪取付筒１９の軸方向外側となる位置に配設された他のシール装置で、該シール装置７１は、所謂フローティングシールとして構成され、図７、図８に示す如くディスク保持筒２２と最終段（２段目）のキャリア３９との間に固定側のリテーナ７１Ａ等を介して設けられている。そして、このシール装置７１も、車輪取付筒１９の軸方向一側（内側）に配設した図７、図９に示すシール装置６０とほぼ同様に構成され、第２の減速機収容空間Ｂ内の潤滑油１００がディスク保持筒２２とキャリア３９側のリテーナ７１Ａとの間から外部に漏洩するのを抑えると共に、外部の土砂、雨水等が侵入するのを防止するものである。
【０１１３】
７２は後輪７を車輪取付筒１９の外周側に着脱可能に固定する楔部材で、該楔部材７２は、図４および図５に示すように、車輪取付筒１９の軸方向外側から後輪７のリム７Ｂと車輪取付筒１９との間に圧入され、後輪７を車輪取付筒１９に対して抜止め、廻止め状態に保持するものである。
【０１１４】
このため、楔部材７２は、車輪取付筒１９の周方向に間隔をもって１０個以上設けられ、これらの楔部材７２を脱着することによって、後輪７は車輪取付筒１９から取外されるものである。なお、図７ないし図９中では、車輪取付筒１９の外周側から後輪７と楔部材７２等を取外した状態を示している。
【０１１５】
また、７３は図１に示すリフトトラック１のベッセル３を起伏させるための起伏シリンダで、該起伏シリンダ７３は、図１に示す如く前輪６と後輪７との間に位置して車体２の左，右両側に配設されている。そして、起伏シリンダ７３は、外部から圧油が給排されることにより上，下方向に伸縮し、後部側のピン結合部４を中心にしてベッセル３を起伏（傾転）させるものである。
【０１１６】
７４は作動油タンクで、該作動油タンク７４は、図１に示すようにベッセル３の下方に位置して車体２の側面等に取付けられている。そして、作動油タンク７４内に収容した作動油は、前記油圧ポンプにより圧油となって起伏シリンダ７３およびパワーステアリング用の操舵シリンダ等に給排されるものである。
【０１１７】
本実施の形態によるダンプトラック１の走行駆動装置１１は、上述の如き構成を有するもので、次に、その作動について説明する。
【０１１８】
まず、ダンプトラック１のキャビン５に乗り込んだ運転者が、図２に示すエンジン８を起動すると、油圧源となる油圧ポンプ（図示せず）が回転駆動されると共に、オルタネータ９により発電が行われ、この電気がバッテリ等に充電されつつ、電気コントローラ１０等に給電される。
【０１１９】
そして、車両を走行駆動するときには、電気コントローラ１０から後輪７側の各電動モータ１７に駆動電流が供給され、このときに電気コントローラ１０は、左，右の電動モータ１７，１７の回転数を個別にフィードバック制御する。これにより、車両の駆動輪となる左，右の後輪７，７は、互いに独立して回転駆動され、直進走行時には互いに同一の回転数で駆動される。
【０１２０】
即ち、ダンプトラック１の後輪７側に設けられた走行駆動装置１１は、電動モータ１７（回転軸１８）の回転を複数段の遊星歯車減速機構２５，３４により、例えば３０〜４０程度の減速比で減速し、駆動輪となる後輪７を車輪取付筒１９と一緒に大なる回転トルクで走行駆動するものである。そして、左，右の後輪７は、左，右の電動モータ１７により独立した回転数で駆動される。
【０１２１】
また、１段目，２段目の遊星歯車減速機構２５，３４等には、車載の潤滑油ポンプ（供給源）から吐出された潤滑油１００が図７に示す供給配管４６を通じて第１の潤滑油供給部４４と第２の潤滑油供給部４７とに供給され、それぞれの太陽歯車２６，３５、遊星歯車２８，３７等が潤滑状態に保持される。そして、このときの潤滑油１００は、それぞれの歯面等を潤滑しつつ、重力の作用で下方の油溜まり４３内に滴下して溜められる。
【０１２２】
この場合、第１の潤滑油供給部４４では、供給配管４６から導管４５を介して支持ピン２９の油路２９Ａ内に導かれた潤滑油１００を、各遊星歯車２８の軸受２８Ａ等に向けて噴射させる。そして、自転する各遊星歯車２８は、その回転による遠心力で潤滑油１００を径方向の外側へと導き、遊星歯車２８と太陽歯車２６、リングギヤ２７との噛合面等を潤滑状態に保つことができる。
【０１２３】
また、第２の潤滑油供給部４７では、図７に例示したように導管４５の途中位置から継手４８を介して分岐された分岐管４９、キャリア３０内の油路３０Ａ、導管５０および各供給管５１（図６参照）等を通じて支持ピン３８の油路３８Ａ内に導かれた潤滑油１００を、各遊星歯車３７の軸受３７Ａ等に向けて噴射させる。そして、これらの遊星歯車３７は、その回転による遠心力で潤滑油１００を径方向の外側へと導き、遊星歯車３８と太陽歯車３５、リングギヤ３６との噛合面等を潤滑状態に保つことができる。
【０１２４】
また、図６に示す供給管５１の最下流側には戻し管５２が接続され、供給管５１内で余剰となった潤滑油を戻し管５２により内側キャップ４２の内部に戻す。そして、この戻り油（潤滑油）は、内側キャップ４２と太陽歯車３５との間の軸受４１等に供給された後に、油溜まり４３内に徐々に滴下して収容される。
【０１２５】
また、油溜まり４３内に収容された潤滑油１００は、回転する１段目，２段目のリングギヤ２７，３６の内歯２７Ａ，３６Ａ等により順次上方へと掻き上げられ、遊星歯車減速機構２５，３４に対する掻き上げ潤滑等を行うことができる。そして、筒状スピンドル１５と車輪取付筒１９との間の軸受２０，２１にも、環状空間Ｃ内の潤滑油１００を供給することができる。
【０１２６】
一方、筒状スピンドル１５と車輪取付筒１９との間には、環状空間Ｃ内に潤滑油１００を封止するシール装置６０が設けられ、このシール装置６０のシール取付体となるリテーナ６１には、筒状スピンドル１５と車輪取付筒１９との最下部位に潤滑油排出部６８の排出管６９を接続して設けている。そして、排出管６９の下流側となる端部を、フィルタ、冷却装置（いずれも図示せず）等を介して前記潤滑油ポンプの吸込側に接続している。
【０１２７】
また、油溜まり４３内に収容した潤滑油１００の液面高さは、検知器等を用いて常に監視され、油溜まり４３内の液面高さが予め決められた基準液面（例えば、図７に示す液面）よりも高くなると、前記潤滑油ポンプにより油溜まり４３内の潤滑油１００を排出管６９から強制的に外部に排出することができる。これにより、油溜まり４３内の潤滑油１００は、環状空間Ｃの外部に向け排出管６９を通じて排出され、このときに排出油（潤滑油）内の異物を、前記フィルタで濾過して除去できると共に、前記冷却装置により潤滑油を冷却することができる。
【０１２８】
ところで、筒状スピンドル１５と車輪取付筒１９の内に設けた油溜まり４３内には、減速機構２４等に供給された潤滑油１００が徐々に滴下して溜められるため、油溜まり４３の底部側には、摩耗粉、金属粉等の異物が滞留し易く、潤滑油１００の油温も高くなる傾向にある。
【０１２９】
そこで、本実施の形態によれば、車両の後輪７側に設けるアクスルハウジング１２を、モータ収容筒１４と、該モータ収容筒１４の軸方向外側に着脱可能に設けられる筒状スピンドル１５等とにより構成し、筒状スピンドル１５の外周側でその下側となる部位には、油溜まり４３内の潤滑油１００を車輪取付筒１９と筒状スピンドル１５との間の環状空間Ｃから外部に吸引して矢示Ｄ方向に排出する潤滑油排出部６８を設ける構成としている。
【０１３０】
そして、この潤滑油排出部６８は、筒状スピンドル１５と車輪取付筒１９との間で環状空間Ｃ内に潤滑油１００を封止するシール装置６０のリテーナ６１に対し、筒状スピンドル１５よりも下側となる位置で排出管６９の吸込口６９Ａを接続することによって構成され、この排出管６９は、環状空間Ｃ内の潤滑油１００をリテーナ６１の外部に吸込口６９Ａから排出する構成としている。
【０１３１】
このため、油溜まり４３内の潤滑油１００を排出管６９の吸込口６９Ａから外部に吸引して排出するときには、この潤滑油１００が筒状スピンドル１５と車輪取付筒１９との間の環状空間Ｃを通って外部に排出されることになり、環状空間Ｃ内に油温の高い古い潤滑油１００が滞留するのを防止でき、環状空間Ｃ内での潤滑油１００の循環（排出）性能を高めることができる。
【０１３２】
そして、筒状スピンドル１５と車輪取付筒１９との間に設ける軸受２０，２１には、環状空間Ｃ内を排出管６９の吸込口６９Ａに向けて流通する循環性の高い潤滑油１００を供給でき、軸受２０，２１を常に新しい潤滑油１００で潤滑状態に保つことができると共に、このときの潤滑油１００を車輪取付筒１９（環状空間Ｃ）の外部に排出管６９を介して円滑に排出することができる。
【０１３３】
また、筒状スピンドル１５の最大外径部となる鍔部１５Ｃ、最終段のキャリア３９を、軸受２０，２１の外径寸法Ｄ1 （図８参照）以下となる寸法に形成し、筒状スピンドル１５内には、１段目の遊星歯車減速機構２５を収容するようにしている。そして、２段目の遊星歯車減速機構３４はリングギヤ３６の内径Ｄ4 を、図８に例示したように軸受２１の外径寸法Ｄ1 に近い寸法で、かつ外径寸法Ｄ1 以下となる寸法（Ｄ4 ≦Ｄ1 ）に形成している。
【０１３４】
また、車輪取付筒１９の他側筒部１９Ｂとディスク保持筒２２の内径Ｄ2 を、前述した数１式を満たすように軸受２０，２１の外径寸法Ｄ1 に近付けることにより、両者の寸法差（Ｄ2 −Ｄ1 ）を、リングギヤ３６の内歯３６Ａによる径方向寸法Ｄ3 以下となる寸法まで小さくする構成としている。
【０１３５】
このため、油溜まり４３内の潤滑油１００が、車輪取付筒１９の他側筒部１９Ｂ、リングギヤ３６の下側位置等に滞留するのを最小限に抑えることができ、例えば減速機収容空間Ｂ側から環状空間Ｃに向けて油溜まり４３内の潤滑油１００を良好に循環させることができる。そして、この潤滑油１００を環状空間Ｃから排出管６９により吸引させつつ、外部に円滑に排出することができる。
【０１３６】
しかも、車輪取付筒１９の一側筒部１９Ａは、その内周面を軸受２１側から軸受２０側に向けて下向きに傾斜した傾斜面１９Ｆとしているので、環状空間Ｃ内の潤滑油１００が軸受２０，２１間で滞留するのを傾斜面１９Ｆによって防止でき、排出管６９から車輪取付筒１９の外部に排出する潤滑油１００の排出性能を高めることができる。
【０１３７】
従って、本実施の形態によれば、油溜まり４３内の潤滑油１００を排出管６９に向けて効率的に循環させることができ、軸受２０，２１等に新鮮な潤滑油を供給することができる。また、遊星歯車減速機構２５，３４のリングギヤ２７，３６に対しても油溜まり４３内の新しい潤滑油１００を供給し続けることができ、軸受２０，２１やリングギヤ２７，３６等の耐久性や寿命を向上することができる。
【０１３８】
また、筒状スピンドル１５の内側には、１段目の遊星歯車減速機構２５を収容しているので、２段目の遊星歯車減速機構３４が筒状スピンドル１５から軸方向外側に張出す寸法を小さく抑えることができ、走行駆動装置１１全体の軸方向長さ（全長）を短くできると共に、装置全体の小型化、軽量化等を図ることができる。
【０１３９】
また、遊星歯車減速機構２５，３４のキャリア３０，３９を、筒状スピンドル１５に非回転状態で設ける構成としているので、遊星歯車２８，３７を回転可能に支持する支持ピン２９，３８をキャリア３０，３９と共に非回転状態に保つことができ、潤滑油供給部４４，４７の導管４５，５０等を支持ピン２９，３８内の油路２９Ａ，３８Ａに対して安定した状態で接続することができる。
【０１４０】
そして、このような支持ピン２９，３８は、太陽歯車２６，３５の周囲に定間隔をもって配置され各遊星歯車２８，３７の回転中心をなしているので、前記導管４５，５０から支持ピン２９，３８の油路２９Ａ，３８Ａ内に供給された潤滑油を、遊星歯車２８，３７の自転に伴う遠心力の作用で放射状に噴射させることができ、例えば遊星歯車２８，３７と太陽歯車２６，３５との噛合面、遊星歯車２８，３７とリングギヤ２７，３６との噛合面等に対して霧状に微細化された潤滑油をほぼ均等に供給することができる。
【０１４１】
これにより、減速機構２４に対する潤滑油の供給を効率的に行うことができ、減速機構２４の各構成部品（歯車）の耐久性、寿命等を向上することができる。また、前記各歯車の噛合面等に供給された潤滑油は、自然落下により油溜まり４３内に溜められ、例えばリングギヤ２７，３６の内歯２７Ａ，３６Ａ等を潤滑できると共に、回転する車輪取付筒１９と非回転の筒状スピンドル１５との間で軸受２０，２１等を潤滑状態に保つことができる。
【０１４２】
また、筒状スピンドル１５内に非回転状態で設けたキャリア３０には、各遊星歯車２８から周方向に離間した位置に図７、図８中に点線で示すように油路３０Ａを形成し、潤滑油供給部４７の分岐管４９と導管５０とをキャリア３０の前，後で油路３０Ａにより連通させることができ、キャリア３０の油路３０Ａを潤滑油の供給通路として活用することができる。
【０１４３】
また、非回転状態となったキャリア３０には、油路３０Ａとは異なる位置にブレーキ液の供給通路となる液穴等も形成することができる。そして、非回転のキャリア３０を活用することにより、例えば図７に示すブレーキ配管５３，５４をキャリア３０の前，後で連通させることができ、車両のディスクブレーキ５６に対しブレーキ液圧を安定して供給することができる。
【０１４４】
しかも、本実施の形態によれば、最終段のキャリア３９を筒状スピンドル１５の開口端側を覆う蓋体として活用し、キャリア３９の外側面には、ディスクブレーキ５６をボルト５７等で固定して設ける構成としているので、後輪７（車輪取付筒１９）の径方向内側で、筒状スピンドル１５の軸方向外側となる位置にディスクブレーキ５６を設置することができる。
【０１４５】
このために、ディスクブレーキ５６のメンテナンス時には、例えば後輪７のホイールキャップ７Ｃ（図３参照）を軸方向の外側から取外すだけで、後輪７のタイヤ７Ａおよびリム７Ｂ等を取外すことなく、ディスク保持筒２２（車輪取付筒１９）の軸方向外側からディスクブレーキ５６の保守、点検を容易に行うことができ、メンテナンス時の作業性を高めることができる。
【０１４６】
なお、前記実施の形態では、１段目のキャリア３０を筒状スピンドル１５の環状凸部１５Ａにボルト３１で固定する場合を例に挙げて説明した。しかし、本発明はこれに限らず、例えば鋳造または鍛造等の手段を用いて１段目のキャリアを筒状スピンドル１５内に一体形成する構成としてもよく、１段目のキャリアを筒状スピンドル内に非回転状態で設ける構成とすればよいものである。
【０１４７】
また、前記実施の形態では、２段目のキャリア３９を筒状スピンドル１５の鍔部１５Ｃにボルト４０を用いて固定する場合を例に挙げて説明した。しかし、本発明はこれに限らず、例えば鋳造または鍛造等の手段を用いて最終段のキャリアを筒状スピンドル１５の開口端側に一体形成する構成としてもよい。
【０１４８】
また、前記実施の形態では、減速機構２４を１段目，２段目の遊星歯車減速機構２５，３４により構成する場合を例に挙げて説明した。しかし、本発明はこれに限らず、例えば減速機構を１段のみの遊星歯車減速機構、３段以上の遊星歯車減速機構、または遊星歯車減速機構以外の減速装置等で構成してもよいものである。
【０１４９】
また、前記実施の形態では、電動モータ１７を駆動源として用いる場合を例に挙げて説明した。しかし、本発明はこれに限らず、例えば油圧モータ等を走行駆動装置の駆動源として用いてもよいものである。
【０１５０】
さらに、前記実施の形態にあっては、後輪駆動式のダンプトラック１を例に挙げて説明した。しかし、本発明はこれに限るものではなく、例えば前輪駆動式または前，後輪を共に駆動する４輪駆動式のダンプトラックに適用してもよいものである。
【図面の簡単な説明】
【０１５１】
【図１】本発明の実施の形態によるダンプトラックを示す正面図である。
【図２】ダンプトラックの走行駆動装置を示す構成図である。
【図３】図１中の後輪を拡大して示す正面図である。
【図４】ホイールキャップを取外した状態で後輪側の走行駆動装置を図３中の矢示IV−IV方向からみた断面図である。
【図５】図４中のモータ収容筒、筒状スピンドル、車輪取付筒および遊星歯車減速機構等を拡大して示す断面図である。
【図６】ディスクブレーキ等を拡大して示す図５の左側面図である。
【図７】図５中の車輪取付筒および遊星歯車減速機構等を拡大して示す断面図である。
【図８】図７中の遊星歯車減速機構等をさらに拡大して示す断面図である。
【図９】図７中の筒状スピンドルと車輪取付筒との間に設けたシール装置等を拡大して示す断面図である。
【符号の説明】
【０１５２】
１  ダンプトラック
２  車体
３  ベッセル
５  キャビン
６  前輪
７  後輪（車輪）
８  エンジン
９  オルタネータ（発電機）
１０  電気コントローラ
１１  走行駆動装置
１２  アクスルハウジング
１３  懸架筒
１４  モータ収容筒
１５  筒状スピンドル
１６，３１，４０  ボルト
１７  電動モータ（駆動源）
１８  回転軸
１９  車輪取付筒
１９Ａ  一側筒部
１９Ｂ  他側筒部
１９Ｆ  傾斜面（ガイド面）
２０，２１  軸受
２２  ディスク保持筒
２２Ａ  ディスク
２４  減速機構
２５，３４  遊星歯車減速機構
２６，３５  太陽歯車
２７，３６  リングギヤ
２８，３７  遊星歯車
２９，３８  支持ピン
２９Ａ，３８Ａ  油路
３０，３９  キャリア
３３  カップリング
４３  油溜まり
４４，４７  潤滑油供給部
４５，５０  導管
４６  供給配管
４９  分岐管
５１  供給管
５６  ディスクブレーキ
６０，７１  シール装置
６１  リテーナ（シール取付体）
６４  Ｏリング（シール部材）
６８  潤滑油排出部
６９  排出管
７２  楔部材
７３  起伏シリンダ
１００  潤滑油
【図１】
2006264394.tif 000005
【図２】
2006264394.tif 000006
【図３】
2006264394.tif 000007
【図４】
2006264394.tif 000008
【図５】
2006264394.tif 000009
【図６】
2006264394.tif 000010
【図７】
2006264394.tif 000011
【図８】
2006264394.tif 000012
【図９】
2006264394.tif 000013